(57)【要約】      （修正有）【課題】使用者のパフォーマンスの向上を期待できる義足用ソールを提供する。【解決手段】義足の接地面に取り付けて使用される義足用ソールにおいて、複数のスパイクピン３が突設されているアウトソールＡを含むソール本体１を有し、ソール本体のつま先領域の内側部分の、スパイクピンの突出高さを含んだ厚みが、内側縁に向かうに従って次第に小さくなり、且つ、ソール本体のつま先領域の外側部分の、スパイクピンの突出高さを含んだ厚みが、略一定となるように構成されている。【選択図】図１
2020054474.tif 000002
【特許請求の範囲】
【請求項１】
義足の接地面に取り付けて使用される義足用ソールにおいて、
複数のスパイクピンが突設されているアウトソールを含むソール本体を有し、
前記ソール本体のつま先領域の内側部分の、前記スパイクピンの突出高さを含んだ厚みが、内側縁に向かうに従って次第に小さくなり、且つ、前記ソール本体のつま先領域の外側部分の、前記スパイクピンの突出高さを含んだ厚みが、略一定となるように構成されている、義足用ソール。
【請求項２】
前記ソール本体が、前記アウトソールと義足の接地面の間に介在される中間ソールをさらに含み、
前記中間ソールのつま先領域の内側部分の厚みが、内側縁に向かうに従って次第に小さくなるように構成されている、請求項１に記載の義足用ソール。
【請求項３】
前記中間ソールのつま先領域の内側部分の厚みが、先端内側縁に向かうに従って次第に小さくなるように構成されている、請求項２に記載の義足用ソール。
【請求項４】
前記スパイクピンのうち、アウトソールの最先端側に配置されたスパイクピンが、アウトソールの先端縁寄りに傾いて突設されている、請求項１乃至３のいずれか一項に記載の義足用ソール。
【請求項５】
つま先領域の内側部分における前記スパイクピンの単位面積当たりの設置率が、つま先領域の外側部分の前記スパイクピンの単位面積当たりの設置率よりも大きい、請求項１乃至４のいずれか一項に記載の義足用ソール。
【請求項６】
前記アウトソールが、つま先領域と、前記つま先領域に連続した中途領域と、を有し、
前記つま先領域の内側縁がＸ＞Ｙの関係を満たすように張り出されている部分を有する、請求項１乃至５のいずれか一項に記載の義足用ソール。
ただし、Ｘは、前記つま先領域の内側縁と前記中途領域の幅方向中心線との間の長さを、Ｙは、前記つま先領域の外側縁と前記中途領域の幅方向中心線との間の長さをいう。
【請求項７】
前記アウトソールのつま先領域の内側縁が、平面視で縦方向に略直線状に延びる第１部位と、前記第１部位と前記中途領域の内側縁の間において縦方向に対して傾斜して延びる第２部位と、を有する、請求項６に記載の義足用ソール。
【請求項８】
前記ソール本体が、前記アウトソールと義足の接地面の間に介在される中間ソールをさらに含み、
前記中間ソールのつま先領域が、前記アウトソールに接合される裏面と、前記義足の接地面に接合される表面と、を有し、
前記裏面が、前記表面よりも大面積とされている、請求項６または７に記載の義足用ソール。
【請求項９】
義足の接地面に取り付けて使用される義足用ソールにおいて、
複数のスパイクピンが突設されているアウトソールを含むソール本体を有し、
前記アウトソールが、つま先領域と、前記つま先領域に連続した中途領域と、を有し、
前記つま先領域の内側縁がＸ＞Ｙの関係を満たすように張り出されている部分を有する、義足用ソール。
ただし、Ｘは、前記つま先領域の内側縁と前記中途領域の幅方向中心線との間の長さを、Ｙは、前記つま先領域の外側縁と前記中途領域の幅方向中心線との間の長さをいう。
【発明の詳細な説明】
【技術分野】
【０００１】
本発明は、義足に取り付けて使用される義足用ソールに関する。
【背景技術】
【０００２】
主として競技に使用される義足の先端部には、スパイクピンの付いた義足用ソールが取り付けられている。
例えば、特許文献１には、裏面にスパイクソールが取り付けられた板バネ状の競技用義足が開示されている。
【先行技術文献】
【特許文献】
【０００３】
【特許文献１】特開２０１６−１５０１８９号公報
【発明の概要】
【０００４】
ところで、義足用ソールを取り付けた義足には、優れたパフォーマンスを発揮できることが望まれる。特に、競技用の義足にあっては、より良い結果を得るために、優れたパフォーマンスを発揮できるものが望まれる。
特許文献１には、スパイクの付いたアウトソールをカバーするラバーソールについて詳しく開示されているが、使用者のパフォーマンスを向上できる義足用ソールについては一切開示されていない。
【発明が解決しようとする課題】
【０００５】
本発明の目的は、使用者のパフォーマンスの向上を期待できる義足用ソールを提供することである。
【課題を解決するための手段】
【０００６】
本発明者らは、使用者が優れたパフォーマンスを発揮できる義足を得るべく、義足使用者の動作を解析した。試験は、スパイク付きアウトソールを取り付けた義足を用い、実際の競技選手に協力してもらい、走行スタートから疾走状態に至るまでの選手の動作を調べて解析した。
その結果、走行スタート時（第１歩目〜第３歩目）には、アウトソールのつま先領域の狭い範囲のみが地面に接地しており、特に、スタート時には、地面に接地する瞬間から地面から離れる瞬間まで、アウトソールのつま先の内側に偏って地面に接していることが解ってきた。また、疾走中においては、膝下に相当する部分を内側に倒した姿勢の方が、より速く走ることができることが解ってきた。
このような義足特有の試験結果から、義足用アウトソールのつま先領域の内側のグリップ力を高めると、スタート時のパフォーマンスが向上し、膝下相当部分が内側に寄るような姿勢にすると、疾走時のパフォーマンスが向上すると考えられる。
このような知見に基づき、本発明者等は、本発明を完成した。
【０００７】
本発明の第１の義足用ソールは、義足の接地面に取り付けて使用される義足用ソールにおいて、複数のスパイクピンが突設されているアウトソールを含むソール本体を有し、前記ソール本体のつま先領域の内側部分の、前記スパイクピンの突出高さを含んだ厚みが、内側縁に向かうに従って次第に小さくなり、且つ、前記ソール本体のつま先領域の外側部分の、前記スパイクピンの突出高さを含んだ厚みが、略一定となるように構成されている。
【０００８】
本発明の好ましい義足用ソールは、前記ソール本体が、前記アウトソールと義足の接地面の間に介在される中間ソールをさらに含み、前記中間ソールのつま先領域の内側部分の厚みが、内側縁に向かうに従って次第に小さくなるように構成されている。
本発明の好ましい義足用ソールは、前記中間ソールのつま先領域の内側部分の厚みが、先端内側縁に向かうに従って次第に小さくなるように構成されている。
本発明の好ましい義足用ソールは、前記スパイクピンのうち、アウトソールの最先端側に配置されたスパイクピンが、アウトソールの先端縁寄りに傾いて突設されている。
本発明の好ましい義足用ソールは、つま先領域の内側部分における前記スパイクピンの単位面積当たりの設置率が、つま先領域の外側部分の前記スパイクピンの単位面積当たりの設置率よりも大きい。
本発明の好ましい義足用ソールは、前記アウトソールが、つま先領域と、前記つま先領域に連続した中途領域と、を有し、前記つま先領域の内側縁がＸ＞Ｙの関係を満たすように張り出されている部分を有する。
ただし、Ｘは、前記つま先領域の内側縁と前記中途領域の幅方向中心線との間の長さを、Ｙは、前記つま先領域の外側縁と前記中途領域の幅方向中心線との間の長さをいう。
本発明の好ましい義足用ソールは、前記アウトソールのつま先領域の内側縁が、平面視で縦方向に略直線状に延びる第１部位と、前記第１部位と前記中途領域の内側縁の間において縦方向に対して傾斜して延びる第２部位と、を有する。
本発明の好ましい義足用ソールは、前記ソール本体が、前記アウトソールと義足の接地面の間に介在される中間ソールをさらに含み、前記中間ソールのつま先領域が、前記アウトソールに接合される裏面と、前記義足の接地面に接合される表面と、を有し、前記裏面が、前記表面よりも大面積とされている。
【０００９】
本発明の第２の義足用ソールは、義足の接地面に取り付けて使用される義足用ソールにおいて、複数のスパイクピンが突設されているアウトソールを含むソール本体を有し、前記アウトソールが、つま先領域と、前記つま先領域に連続した中途領域と、を有し、前記つま先領域の内側縁がＸ＞Ｙの関係を満たすように張り出されている部分を有する。
ただし、Ｘは、前記つま先領域の内側縁と前記中途領域の幅方向中心線との間の長さを、Ｙは、前記つま先領域の外側縁と前記中途領域の幅方向中心線との間の長さをいう。
【発明の効果】
【００１０】
本発明の義足用ソールは、ソール本体のつま先領域の内側部分のスパイクピンの突出高さを含んだ厚みが内側縁に向かうに従って次第に小さくなっているので、この義足用ソールを使用して走行した際に、使用者の膝下相当部分が内側に寄るような姿勢になる。このため、本発明の義足用ソールを使用すれば、疾走時のパフォーマンスの向上を期待できる。
また、本発明の義足用ソールは、アウトソールのつま先領域の内側縁が張り出された部分を有するので、この義足用ソールを使用して走行した際に、内側に偏って接地面積が増大し、グリップ力が高まる。このため、本発明の義足用ソールを使用すれば、走行スタート時のパフォーマンスの向上も期待できる。
【図面の簡単な説明】
【００１１】
【図１】本発明の義足用ソールのアウトソールを接地面側から見た平面図。
【図２】同アウトソールの右側面図（図１の矢印ＩＩ方向から見た側面図）。
【図３】同アウトソールの上面図（図１の矢印ＩＩＩ方向から見た側面図）。
【図４】同アウトソールの一部省略拡大平面図。
【図５】図１のＶ−Ｖ線で切断した拡大断面図。
【図６】図１のＶＩ−ＶＩ線で切断した拡大断面図。
【図７】本発明の義足用ソールの中間ソールを接地面側から見た平面図。
【図８】同中間ソールを接地面とは反対側から見た平面図。
【図９】同中間ソールの右側面図。
【図１０】同中間ソールの上面図。
【図１１】図７のＸＩ−ＸＩ線で切断した拡大断面図。
【図１２】図７のＸＩＩ−ＸＩＩ線で切断した拡大断面図。
【図１３】同中間ソールの一部省略斜視図。
【図１４】本発明の義足用ソールを取り付けた義足を裏面側（接地面側）から見た一部省略斜視図。
【図１５】同義足用ソールを取り付けた義足の一部省略側面図。
【図１６】同義足用ソールを取り付けた義足の一部省略上面図。
【図１７】本発明の義足用ソールの厚みが漸減した部分を模式的に説明した参考図であって、（ａ）は、その側面図、（ｂ）は、その上面図、（ｃ）は、使用時の上面図。
【図１８】変形例に係るアウトソールの参考上面図。
【図１９】更なる変形例に係るアウトソールの一部省略拡大平面図。
【図２０】図１９のＸＸ−ＸＸ線で切断した断面図。
【発明を実施するための形態】
【００１２】
以下、本発明について図面を参照しつつ説明する。
本明細書の義足用ソールの説明において、方向を示す用語の「内側」は、幅方向一方側であり、健常者の足裏に則すると親指側に相当し、「外側」は、幅方向反対側であり、健常者の足裏に則すると小指側に相当する。
「先端」は、縦方向一方側であり、健常者の足裏に則するとつま先側に相当し、「後端」は、縦方向反対側であり、健常者の足裏に則すると踵側に相当する。縦方向は、幅方向と直交する方向をいう。
「裏面」は、義足用ソールの使用時に地面に接する側（接地面側）に対応する面を指し、「表面」は、その反対面を指す。
「略」は、本発明の属する技術分野において許容される範囲を含むことを意味する。
「下限値ＡＡＡ〜上限値ＢＢＢ」で表される数値範囲は、下限値ＡＡＡ以上上限値ＢＢＢ以下を意味する。前記数値範囲が別個に複数記載されている場合、任意の下限値と任意の上限値を選択し、「任意の下限値〜任意の上限値」を設定できるものとする。
【００１３】
［義足用ソールの概要］
本発明の義足用ソールは、スパイクピンを有するアウトソールを含むソール本体を有し、前記ソール本体は、さらに中間ソールを含むことが好ましい。この好ましいソール本体は、アウトソールと中間ソールの積層体を含み、前記アウトソールと中間ソールは強固に接合一体化される。
義足用ソールは、義足の接地面側に取り付けて使用され、使用時には、アウトソールの裏面が地面に接する。
本発明の義足用ソールは、ソール本体のつま先領域の内側部分の厚み（ただし、このソール本体の厚みにはスパイクピンの突出高さも含まれる）が、内側縁に向かうに従って次第に小さくなるように構成され、ソール本体のつま先領域の外側部分の厚み（ただし、このソール本体の厚みにはスパイクピンの突出高さも含まれる）が、略一定となるように構成されていることを第１の特徴とする。
本発明の義足用ソールは、そのアウトソールのつま先領域の内側縁が、Ｘ＞Ｙの関係を満たすように張り出されていることを第２の特徴とする。
【００１４】
ここで、概念上、ソール本体を縦方向において３つの領域に区分けした場合に、ソール本体は、先端縁を含むつま先領域と、前記つま先領域に連続した中途領域と、前記中途領域に連続し且つ後端縁を含む後方領域と、に区分けできる。
本明細書において、つま先領域の縦方向長さは、例えば、ソール本体の縦方向長さ（先端縁から後端縁までの長さ）の、１／６倍〜１／２倍であり、好ましくは１／４倍〜２／５倍である。具体的な寸法では、つま先領域の縦方向長さは、４ｃｍ〜１２ｃｍであり、好ましくは６ｃｍ〜１０ｃｍである。中途領域の縦方向長さは、ソール本体の縦方向長さの、１／６倍〜１／２倍であり、好ましくは１／４倍〜２／５倍である。具体的な寸法では、中途領域の縦方向長さは、４ｃｍ〜１２ｃｍであり、好ましくは６ｃｍ〜１０ｃｍである。また、中途領域の幅方向中心線を基準にして、概念上、つま先領域を左右２つの領域に区分けした場合に、その中心線よりも内側の部分を、内側部分といい、その中心線よりも外側の部分を、外側部分という。
なお、ソール本体を構成するアウトソール及び中間ソールも、前記ソール本体の区分けに準じて、つま先領域、中途領域及び後方領域に概念上区分けできる。その場合、前記ソール本体を、アウトソール又は中間ソールに読み替えるものとする。
以下、アウトソール及び中間ソールを個別に説明した後、本発明の義足用ソールについて説明する。
ただし、各図においては、義足の右足に装着される義足用ソールを示している。左足用の義足用ソールは、図示例の右足用の義足用ソールと線対称形となる。
【００１５】
［アウトソール］
図１乃至図６は、１つの実施形態に係るアウトソールＡを示している。
アウトソールＡは、アウトソール本体１と、前記アウトソール本体１の裏面から突設された複数のスパイク用台座部２と、複数のスパイクピン３と、を有する。
アウトソール本体１は、縦方向において表面側に反るようにやや湾曲され（図２参照）、全体的な概略形状は略板状である。もっとも、アウトソール本体１が表面側に湾曲せずに、全体的に平板状であってもよい。
アウトソール本体１の表面は、略平滑面とされている。
アウトソール本体１の裏面側の周縁部は、図５及び図６に示すように、角取りのため、断面視弧状に形成されている。従って、アウトソール本体１の周縁部は、滑らかに角取りされ、周縁に向かうに従って薄肉状に形成されている。角取りの程度は、周縁部の全体に亘って共通しており、従って、幅方向において向かい合う周縁部の角取り形状は略対称形であり、縦方向において向かい合う周縁部の角取り形状は略対称形である。
アウトソール本体１の厚み（ただし周縁部を除く）は、特に限定されず、例えば、２ｍｍ〜１０ｍｍであり、好ましくは３ｍｍ〜８ｍｍである。
【００１６】
アウトソール本体１は、硬質樹脂の非発泡体からなる。硬質樹脂としては、特に制限はなく、ポリプロピレン、ポリエチレン、ポリブテンなどのポリオレフィン、ＥＶＡ、ポリウレタン、ポリアミド、ポリカーボネート、ポリエチレンテレフタレート、ポリアセタール、ポリフェニレンエーテル、ポリブチレンテレフタレート、ポリサルフォン、ポリイミド、アイオノマー樹脂などのエンジニアリングプラスチックを用いることができる。また、硬質樹脂として、繊維強化プラスチックなども使用できる。
【００１７】
アウトソール本体１のつま先領域は、平面視で、その内側縁がＸ＞Ｙの関係を満たすように張り出されている部分１８を有する。以下、張り出されている部分を「拡張部１８」という。ただし、Ｘは、図４に示すように、つま先領域の内側縁１１１ａと中途領域の幅方向中心線Ｚとの間の長さを、Ｙは、つま先領域の外側縁１１ｂと中途領域の幅方向中心線Ｚとの間の長さをいう。中途領域の幅方向中心線Ｚ（図４において中心線Ｚを二点鎖線で示す）は、中途領域の幅方向中心点を通る縦方向に延びる仮想の直線である。
拡張部１８は、つま先領域の内側の略全体に亘って設けられていてもよく、一部分に設けられていてもよい。図示例では、拡張部１８は、つま先領域の略全体に設けられている。
前記拡張部１８を有することにより、前記中心線Ｚを基準にして、つま先領域の内側が外側よりも大面積となる。
【００１８】
つま先領域の内側縁１１ａは、平面視で縦方向に略直線状に延びる第１部位１１１ａと、前記第１部位１１１ａと中途領域の内側縁１２ａの間において縦方向に対して傾斜して延びる第２部位１１２ａと、を有する。第２部位１１２ａが縦方向に対して傾斜していることにより、拡張部１８の耐久性が向上する。もっとも、第２部位１１２ａが縦方向に対して傾斜せず、例えば、第２部位１１２ａが幅方向に略直線状に延びて形成されていてもよい。
つま先領域の先端縁１１ｃは、平面視で幅方向に略直線状に延びている。
つま先領域の先端縁１１ｃと内側縁１１ａの間は、平面視で弧状に形成されている。つま先領域の先端縁１１ｃと内側縁１１ａの境界部分を、つま先領域の先端内側縁１１ｄという。前記平面視弧状に形成されている場合には、つま先領域の先端縁１１ｃと内側縁１１ａの境界は、前記弧状の中点を指す。なお、つま先領域の内側縁１１ａとつま先領域の先端縁１１ｃが略直角状を成して連続していてもよく（図示せず）、この場合の先端内側縁１１ｄは、その直角部となる。
つま先領域の、前記第１部位１１１ａ及び第２部位１１２ａに幅方向において対応する外側縁１１ｂは、縦方向に延びる略直線状に形成され、つま先領域の先端縁１１ｃと外側縁１１ｂの間は、弧状に形成されている。
つま先領域の第１部位１１１ａとつま先領域の外側縁１１ｂは、例えば、平行に延びている。
【００１９】
中途領域の内側縁１２ａは、平面視で縦方向に略直線状に延び、中途領域の外側縁１２ｂは、平面視でつま先領域の外側縁１１ｂに連続して略直線状に延び、中途領域の内側縁１２ａと外側縁１２ｂは、平行に延びている。
中途領域の内側縁１２ａに連続するつま先領域の第２部位１１２ａが、少しの角度で外向き傾斜して延設されていることにより、中途領域の内側縁１２ａよりも張り出した拡張部１８が形成されている。
なお、後方領域の内側縁１３ａと外側縁１３ｂは、後端縁１３ｃに向かうに従って互いに近づくように傾斜して延設されている。もっとも、後方領域の内側縁１３ａ及び外側縁１３ｂが、中途領域の内側縁１２ａ及び外側縁１２ｂに連続して縦方向に略直線状に延びていてもよい。
【００２０】
アウトソール本体１の裏面には、スパイクピン３を取り付けるスパイク用台座部２が複数設けられている。スパイク用台座部２は、なだらかなドーム状（例えば平皿を裏返したような形状）に形成されている。
例えば、スパイク用台座部２は、硬質樹脂などを用いて、アウトソール本体１と一体的に形成されている。
【００２１】
スパイクピン３は、代表的には金属製であるが、セラミック、硬質樹脂などで形成されていてもよい。
スパイクピン３としては、代表的には、アウトソール本体１に着脱可能に取り付けられるスパイクピン（以下、着脱式ピンという）、及び、アウトソール本体１に固定的に取り付けられるスパイクピン（以下、固定式ピンという）が知られている。本発明では、着脱式ピン及び固定式ピンのいずれか一方を用いてもよく、或いは、着脱式ピン及び固定式ピンの双方を使用してもよい。
図示例では、固定式ピンと着脱式ピンが用いられている。各スパイクピン３の突出高さは、同じである。
固定式ピンは、スパイク用台座部２（アウトソール本体１）に直接的に埋設固定されているものでもよく、或いは、支持板などの支持部材を介してスパイク用台座部２（アウトソール本体１）に固定されているものでもよい。
本実施形態では、固定式ピンは、支持板から突設された固定式ピン（以下、第１固定式ピンという）と、端部がスパイク用台座部２に埋設された固定式ピン（以下、第２固定式ピンという）と、からなる。
【００２２】
第１固定式ピン３１は、金属板などの支持板３８から突設されており、その支持板３８をスパイク用台座部２に固定することによって、アウトソール本体１の裏面から突設されている。第２固定式ピン３２は、その端部がスパイク用台座部２に埋設されることによって、アウトソール本体１の裏面から突出されている。
本実施形態では、２つの第１固定式ピン３１と、２つの第２固定式ピン３２とを有する。
具体的には、支持板３８は、例えば、比較的薄い板状体からなり、平面視で基部３８３から２つのアーム部３８１，３８２が延設された形状（例えば平面視略Ｖ字状）に形成されている（図４参照）。支持板３８は、金属製が好ましいが、セラミック、硬質樹脂などで形成されていてもよい。支持板３８の基部３８３は、スパイク用台座部２の中心部に配置され、第１アーム部３８１は、アウトソール本体１の先端縁１１ｃに向かって配置され、第２アーム部３８２は、先端内側縁１１ｄに向かって配置されている。第１アーム部３８１及び第２アーム部３８２の端部は、アウトソール本体１の周縁部にまで延在され、その周縁部の弧状形状に従って湾曲されている。１つの第１固定式ピン３１は、第１アーム部３８１の端部から突設され、もう１つの第１固定式ピン３１は、第２アーム部３８２の端部から突設されている。従って、１つの第１固定式ピン３１は、アウトソール本体１の周縁部の弧状に従い、先端縁１１ｃ寄りに傾いて突設されている。この先端縁１１ｃ寄りに傾いて突設されている第１固定式ピン３１は、アウトソール本体１の最先端側に配置されたスパイクピン３である。また、もう１つの第１固定式ピン３１は、アウトソール本体１の周縁部の弧状に従い、先端内側縁１１ｄ寄りに傾いて突設されている。
【００２３】
２つの第２固定式ピン３２は、幅方向に並んで配置されている。
前記第１固定式ピン３１及び第２固定式ピン３２は、いずれも、つま先領域の内側部分に配置されている。上述のように、つま先領域の内側部分は、中途領域の幅方向中心線Ｚよりも内側の部分を指し、つま先領域の外側部分は、その中心線Ｚよりも外側の部分を指す。
【００２４】
着脱式ピン３３は、スパイク用台座部２に埋設された取着部３９に取り付けられる。例えば、着脱式ピン３３は、ネジ作用により取着部３９に着脱可能に取り付けられる。
着脱式ピン３３は、所定数設けられている。例えば、つま先領域に４つの着脱式ピン３３が取り付けられ、中途領域に４つの着脱式ピン３３が取り付けられ、後方領域に２つの着脱式ピン３３が取り付けられている。
つま先領域の内側部分には、つま先領域の外側部分に比して、スパイクピン３を密に配置している。
つま先領域の内側部分におけるスパイクピン３の単位面積当たりの設置率は、つま先領域の外側部分のスパイクピン３の単位面積当たりの設置率よりも大きい。内側部分の設置率は、内側部分のスパイクピンの総数／内側部分の面積、で求められ、外側部分の設置率は、外側部分のスパイクピンの総数／外側部分の面積、で求められる。
【００２５】
［中間ソール］
図７乃至図１３は、１つの実施形態に係る中間ソールＢを示している。
中間ソールＢは、スパイクピン３が突設されているアウトソールＡと一体となって本発明のソール本体を構成する。
中間ソールＢは、全体的に板状に形成されている。
中間ソールの表面は、略平滑面とされ、中間ソールＢ本体の裏面は、後述する厚み漸減部を除いて、略平滑面とされている。
また、中間ソールＢは、厚み漸減部を除いて、略均等な厚みに形成されている。
厚み漸減部を除く中間ソールＢの厚みは、特に限定されず、例えば、３ｍｍ〜１５ｍｍであり、好ましくは４ｍｍ〜１０ｍｍである。
【００２６】
中間ソールＢは、非発泡体で形成されていてもよく、発泡体で形成されていてもよい。中間ソールＢの形成材料としては、例えば、硬質樹脂の非発泡体又は発泡体、ゴム又はエラストマーの非発泡体又は発泡体などが挙げられる。適度なクッション性を付与できることから、弾性変形するものが好ましく、軽量化できることから発泡体が好ましい。
発泡体を用いる場合、その材質にもよるが、余りに発泡倍率が大きいと、使用時の荷重によって中間ソールＢが圧縮されてしまい、内外の厚み差が消失するおそれがあり、余りに小さいと、実質的に非発泡体と変わらなくなる。かかる観点から、発泡体の発泡倍率は、例えば、１．３倍〜１．６５倍であり、好ましくは１．４倍〜１．５倍である。図示の中間ソールＢは、エチレン酢酸ビニル共重合体の発泡体から形成されている。
【００２７】
中間ソールＢの裏面は中間ソールＢの表面よりも大面積とされている。
具体的には、図７に示すように、中間ソールＢのつま先領域のうちその裏面は、平面視で、その内側縁がＸ＞Ｙの関係を満たすように張り出されている部分５８を有する。以下、張り出されている部分を「拡張部５８」という。ただし、Ｘは、図７に示すように、中間ソールＢのつま先領域の裏面の内側縁５１１ａと中途領域の裏面の幅方向中心線Ｗとの間の長さを、Ｙは、つま先領域の裏面の外側縁５１ｂと中途領域の裏面の幅方向中心線Ｗとの間の長さをいう。中途領域の裏面の幅方向中心線Ｗ（図７において中心線Ｗを二点鎖線で示す）は、中途領域の裏面の幅方向中心点を通る縦方向に延びる仮想の直線である。
拡張部５８は、つま先領域の裏面の内側の略全体に亘って設けられていてもよく、一部分に設けられていてもよい。図示例では、拡張部５８は、つま先領域の裏面の略全体に設けられている。
【００２８】
図７を参照して、中間ソールＢのつま先領域の裏面の内側縁５１ａは、平面視で縦方向に略直線状に延びる第１部位５１１ａと、前記第１部位５１１ａと中途領域の裏面の内側縁５２ａの間において縦方向に対して傾斜して延びる第２部位５１２ａと、を有する。
つま先領域の裏面の先端縁５１ｃは、平面視で幅方向に略直線状に延びている。
つま先領域の裏面の先端縁５１ｃと内側縁５１ａの間は、平面視で弧状に形成されている。つま先領域の先端縁５１ｃと内側縁５１ａの境界部分を、つま先領域の先端内側縁５１ｄという。前記平面視弧状に形成されている場合には、つま先領域の先端縁５１ｃと内側縁５１ａの境界は、前記弧状の中点を指す。なお、つま先領域の裏面の内側縁５１ａとつま先領域の裏面の先端縁５１ｃが略直角状を成して連続していてもよく（図示せず）、この場合の先端内側縁５１ｄは、その直角部となる。
つま先領域の裏面の、前記第１部位５１１ａ及び第２部位５１２ａに幅方向において対応する外側縁５１ｂは、縦方向に延びる略直線状に形成され、つま先領域の裏面の先端縁５１ｃと外側縁５１ｂの間は、弧状に形成されている。
つま先領域の裏面の第１部位５１１ａと外側縁５１ｂは、例えば、平行に延びている。
【００２９】
中途領域の裏面の内側縁５２ａは、平面視で縦方向に略直線状に延び、中途領域の裏面の外側縁５２ｂは、平面視でつま先領域の裏面の外側縁５１ｂに連続して略直線状に延び、中途領域の裏面の内側縁５２ａと外側縁５２ｂは、平行に延びている。
中途領域の裏面の内側縁５２ａに連続するつま先領域の裏面の第２部位５１２ａが、少しの角度で外向き傾斜して延設されていることにより、中途領域の裏面の内側縁５２ａよりも張り出した拡張部５８が形成されている。
なお、後方領域の裏面の内側縁５３ａと外側縁５３ｂは、後端縁５３ｃに向かうに従って互いに近づくように傾斜して延設されている。もっとも、後方領域の裏面の内側縁５３ａ及び外側縁５３ｂが、中途領域の内側縁５２ａ及び外側縁５２ｂに連続して縦方向に略直線状に延びていてもよい。
【００３０】
中間ソールＢの裏面とアウトソールＡの表面を過不足無く接合できることから、中間ソールＢの裏面形状は、アウトソールＡの表面形状と略同じであることが好ましい。
一方、中間ソールＢのつま先領域の表面は、図８に示すように、拡張部を有さない。中間ソールＢの表面の内側縁５４ａは、後方領域を除いて縦方向に延びる略直線状に形成され、中間ソールＢの表面の外側縁５４ｂは、後方領域を除いて縦方向に延びる略直線状に形成されている。
【００３１】
拡張部を有さない中間ソールＢの表面と拡張部５８を有する中間ソールＢの裏面は面積差を有するので、その面積差を吸収するため、中間ソールＢのつま先領域の端面６１（厚み面）は傾斜面とされている。中間ソールＢのつま先領域の内側縁５１ａ、先端内側縁５１ｄ及び先端縁５１ｃにおいては、図９乃至図１２に示すように、端面６１が傾斜状に形成されている。中間ソールＢのつま先領域の外側縁５１ｂなどの端面６２は、表裏面に対して直角状に交わった直交面に形成されている。
【００３２】
中間ソールＢのつま先領域の内側部分の厚みが、内側縁に向かうに従って次第に小さくなるように構成されている。好ましくは、中間ソールＢのつま先領域の内側部分の厚みが、先端内側縁５１ｄに向かうに従って次第に小さくなるように構成されている。この厚みが次第に小さくなった部分を、厚み漸減部という。換言すると、中間ソールＢは、つま先領域の内側部分の厚みが内側縁（好ましくは先端内側縁）に向かうに従って次第に小さくなる厚み漸減部を有する。
一方、中間ソールＢのつま先領域の外側部分の厚みが、略一定に構成されている。この厚みが略一定の部分を、厚み均等部という。換言すると、中間ソールＢは、つま先領域の外側部分の厚みが略一定となった厚み均等部を有する。前記厚み均等部は、厚み漸減部に連続し、厚み漸減部の外側に配置されている。
従って、中間ソールＢのつま先領域は、幅方向における内外非対称形とされている。
【００３３】
厚み漸減部は、中間ソールＢのつま先領域の内側部分の少なくとも一部分に設けられていればよく、前記つま先領域の内側部分の一部分でもよく、或いは、その全体でもよい。
また、厚み漸減部は、中間ソールＢのつま先領域の少なくとも内側部分に設けられていればよく、外側部分に少し延在されていてもよい。
例えば、中間ソールＢのつま先領域の内側部分のうち内側縁５１ａから少なくとも１／４幅までの領域の厚みが、内側縁５１ａに向かうに従って次第に小さくなるように構成されている。前記つま先領域の内側縁５１ａから１／４幅までの領域は、つま先領域の全幅を４等分した場合に、内側縁５１ａから全幅の１／４に相当する領域をいう。図示例では、中間ソールＢのつま先領域の内側部分のうち内側縁５１ａから１／２幅を少し超える領域の厚みが、内側縁５１ａに向かうに従って次第に小さくなるように構成されている。
厚み均等部は、前述のように厚み漸減部に連続しており、中間ソールＢのつま先領域の外側部分の一部分又は全体に設けられている。図示例では、中間ソールＢのうち、厚み漸減部以外の部分は、その厚みが略一定となっている。
【００３４】
厚み漸減部は、中間ソールＢの表面及び／又は裏面を、内側縁５１ａ（好ましくは先端内側縁５１ｄ）に向かうに従って傾斜したテーパ面７とすることによって、構成できる。
図示例では、中間ソールＢの少なくとも表面をテーパ面７とすることによって、厚み漸減部が構成されている。テーパ面７は、例えば、図１３に示すように、平面視で先端内側縁５１ｄを中心とする扇状の範囲に形成され、このテーパ面７は、平面視で扇状外縁を漸減開始部分とし、先端内側縁５１ｄに向かうに従って肉厚が小さくなるように傾斜されている。従って、中間ソールＢは、先端内側縁５１ｄにおける肉厚が最も小さくなっている。この厚み漸減部を幅方向で切断すると、図１２に示すように、内側縁５１ａ側に向かって次第に厚みが小さくなり且つその方向においては内側縁５１ａの肉厚が最も小さくなっている。また、厚み漸減部を幅方向で切断すると、図１１に示すように、先端縁５１ｃ側に向かって次第に厚みが小さくなり且つその方向においては先端縁５１ｃの肉厚が最も小さくなっている。
【００３５】
［義足用ソール及び義足］
ソール本体Ｃは、上記スパイクピン３を有するアウトソールＡの表面に中間ソールＢの裏面を接合することによって得られる（図１４乃至図１６参照）。本発明の義足用ソールは、このソール本体Ｃが主たる構成要素を成している。なお、本発明の義足用ソールは、前記ソール本体Ｃを有することを条件として、他の構成要素を有していてもよい。
義足用ソールの使用時には、同図に示すように、義足Ｄの裏面（接地面）に中間ソールＢの表面を接合する。
アウトソールＡと中間ソールＢの接合方法及び中間ソールＢと義足Ｄの接合方法は、特に限定されず、例えば接着剤を用いた接合などが挙げられる。
義足Ｄも特に限定されないが、本発明の義足用ソールは、走行のパフォーマンスの向上を期待できることから、特に競技用義足に使用することが好ましい。
図示例では、競技用義足として、板バネ状の義足Ｄを図示している。
【００３６】
上述のように、中間ソールＢは、つま先領域の内側部分の厚みが内側縁５１ａ（好ましくは先端内側縁５１ｄ）に向かうに従って次第に小さくなった厚み漸減部を有するので、この中間ソールＢを有するソール本体Ｃも、その形状に従い、つま先領域の内側部分の、スパイクピンの突出高さを含んだ厚みが、内側縁（好ましくは先端内側縁）に向かうに従って次第に小さくなっている。つまり、ソール本体Ｃは、厚みが漸減されている厚み漸減部を有する。他方、中間ソールＢは、つま先領域の外側部分の厚みが略一定となる厚み均等部を有するので、ソール本体Ｃも、その形状に従い、つま先領域の外側部分の、スパイクピンの突出高さを含んだ厚みが略一定となっている。つまり、ソール本体Ｃは、つま先領域において、厚み漸減部に隣接して厚み均等部を有する。
上述のように各スパイクピン３の突出高さが同じである場合には、スパイクピン３の突出高さは厚み差に影響しないので、上記実施形態では、中間ソールＢとアウトソール本体１が接合されたものが厚み漸減部を構成していると言える。
図１７は、ソール本体の厚み漸減部を分りやすくするために、スパイクピンの突出高さ（上記アウトソールＡのスパイクピン３及びスパイク用台座部２）を除いた、中間ソールＢとアウトソール本体１のみを表した参考図である。また、上記実施形態では、アウトソール本体１は表面側に反るようにやや湾曲されているが、図１７では、ソール本体Ｃの厚み漸減部を分りやすく図示するために、アウトソール本体１を反りのない状態で表している。
【００３７】
図１７（ａ）及び図（ｂ）に示すように、ソール本体Ｃは、つま先領域において先端内側縁に向かうに従って厚みが漸減し、外側において厚みが略一定である。かかるソール本体Ｃは、同図（ｂ）に示すように、幅方向において内外非対称形を成している。
かかるソール本体Ｃを有する義足用ソールを取り付けた義足Ｄを使用すると、同図（ｃ）に示すように、その厚み漸減部に対応するアウトソールＡの裏面が地面に接地するので、使用者の膝下相当部分が内側に寄るような姿勢になる。上述のように、本発明者等の予備的な研究から、本発明の義足用ソールを使用すれば、疾走時のパフォーマンスの向上を期待できる。
【００３８】
さらに、本発明のアウトソールＡは、つま先領域の内側に拡張部１８を有するので、かかるアウトソールＡを有する義足用ソールを取り付けた義足Ｄを使用すると、つま先領域において地面に接する面積、特に、内側に偏って接地面積が増大する。内側の接地面積が拡大することにより、グリップ力が高められる。上述のように、本発明者等の予備的な研究から、つま先領域の内側のグリップ力を高めると、スタート時のパフォーマンスの向上も期待できる。
加えて、アウトソールＡのつま先領域の内側部分におけるスパイクピン３の設置率が、外側部分よりも大きいので、前記拡張部１８と相乗して、アウトソールＡの内側のグリップ力を高めることができる。
【００３９】
ところで、既存の板バネ状の義足のソール取り付け部分は、平面視で略長方形状であることが多い。かかる略長方形状のソール取り付け面に上記拡張部１８を有する本発明の義足用ソールを取り付けると、アウトソールＡの拡張部１８がその取り付け面の側方からはみ出してしまい、拡張部１８が破損などするおそれがある。これを回避する方法として、本発明の義足用ソールの平面視形状に合わせて、義足のソール取り付け面を拡張する方法があるが、この場合、使用者が新たな義足を準備しなければならない。この点、中間ソールＢのつま先領域の裏面が、その表面よりも大面積とされていることにより、中間ソールＢの裏面は、アウトソールＡの表面に重なり、中間ソールＢの表面が、既存の義足の取り付け面に重なるようになる。
【００４０】
［変形例］
上記実施形態では、ソール本体のつま先領域の内側部分の厚み（スパイクピンの突出高さを含む）を内側縁に向かうに従って次第に小さくなるように構成する手段として、中間ソールに厚み漸減部（例えば、裏面又は表面のテーパ面）を設けたが、これに限定されず、例えば、アウトソール本体に厚み漸減部を設けてもよい。
また、図１８に示すように、アウトソールＡのつま先領域の内側部分に配置されるスパイクピン３の突出高さを、アウトソールＡのつま先領域の内側縁側ほど低くするという手段を用いてもよい。このようにスパイクピン３の突出高さを変えた場合でも、ソール本体のつま先領域の内側部分のスパイクピンの突出高さを含む厚みを、内側縁に向かうに従って次第に小さく構成できる。
【００４１】
また、図１９及び図２０に示すように、アウトソール本体１の面内に、アウトソールＡの強度を損ねない程度で、任意の凹部８が形成されていてもよい。このような凹部８を形成することにより、アウトソールＡを軽量化することができる。
【符号の説明】
【００４２】
Ａ  アウトソール
Ｂ  中間ソール
Ｃ  ソール本体
Ｄ  義足
１  アウトソール本体
３，３１，３２，３３  スパイクピン
【図１】
2020054474.tif 000003
【図２】
2020054474.tif 000004
【図３】
2020054474.tif 000005
【図４】
2020054474.tif 000006
【図５】
2020054474.tif 000007
【図６】
2020054474.tif 000008
【図７】
2020054474.tif 000009
【図８】
2020054474.tif 000010
【図９】
2020054474.tif 000011
【図１０】
2020054474.tif 000012
【図１１】
2020054474.tif 000013
【図１２】
2020054474.tif 000014
【図１３】
2020054474.tif 000015
【図１４】
2020054474.tif 000016
【図１５】
2020054474.tif 000017
【図１６】
2020054474.tif 000018
【図１７】
2020054474.tif 000019
【図１８】
2020054474.tif 000020
【図１９】
2020054474.tif 000021
【図２０】
2020054474.tif 000022